(57)【要約】【課題】ＰＯＳ処理におけるＮＦＰ時において、より簡易で確実な商品登録情報の追加登録を行なうデータ処理装置を提供する。【解決手段】データ処理装置１００は、ＥＣＲ端末１のＣＰＵ１１で実行される会計処理において、会計を行なう商品の商品識別情報である商品コードをスキャナ２で読み取り、当該商品コードに対応する商品登録情報がＰＬＵファイル１７１に登録されていない場合に、当該商品コードに対してスキャナ２で撮像した商品画像と操作部１８から入力された単価とを設定してＰＬＵファイル１７１に追加登録するＮＰＦメンテナンス処理を行なう。【選択図】図２
2006277198.tif 000002
【特許請求の範囲】
【請求項１】
各商品を識別する商品識別情報と当該商品識別情報に対応する商品価格とが対応づけられた登録情報を格納する記憶手段と、
各商品に付された前記商品識別情報を読み取る商品識別情報読み取り手段と、
前記読み取られた商品識別情報が前記登録情報に含まれているか否かを判定する判定手段と、
前記判定の結果、前記読み取られた商品識別情報が前記登録情報に含まれていない場合に、前記商品識別情報が付された商品を撮像する撮像手段と、
前記登録情報に前記読み取られた商品識別情報と前記撮像された商品画像とを対応づけて記録する記録手段と、
を備えたことを特徴とするデータ処理装置。
【請求項２】
前記読み取られた商品識別情報に対応する単価を設定する単価設定手段を更に備え、
前記記録手段は、前記登録情報に前記読み取られた商品識別情報と前記撮像された商品画像と前記単価とを対応づけて記録することを特徴とする請求項１に記載のデータ処理装置。
【請求項３】
前記撮影手段で撮影した商品画像に含まれる品名を文字認識する手段を備え、前記記録手段は、更に前記文字認識された品名を記録することを特徴とする請求項１に記載のデータ処理装置。
【請求項４】
各商品に付された商品識別情報を読み取る商品識別情報読み取り手段と、商品を撮像する撮像手段とを有するコンピュータを、
各商品を識別する商品識別情報と当該商品識別情報に対応する商品価格とが対応づけられた登録情報を格納する記憶手段、
前記読み取られた商品識別情報が前記登録情報に含まれているか否かを判定する判定手段、
前記判定の結果、前記読み取られた商品識別情報が前記登録情報に含まれていない場合に、前記撮像手段により当該商品識別情報が付された商品の画像を取得する商品画像取得手段、
前記登録情報に前記読み取られた商品識別情報と前記商品画像とを対応づけて記録する記録手段、
として機能させるためのプログラム。
【発明の詳細な説明】
【技術分野】
【０００１】
本発明は、データ処理装置及びプログラムに関する。
【背景技術】
【０００２】
従来から、商品の外装部分に貼付された当該商品の識別情報をバーコードスキャナやキー入力装置で読み取り、制御プログラムや取り扱う商品についての情報が登録された商品ファイル（ＰＬＵ：Price  Look  Up）を格納したメモリと、このメモリに格納されたプログラムやデータを読み取って動作することで各部の制御を行なうＣＰＵ（Central  Processing  Unit）と、により、ＰＯＳ（Point  Of  Sales）の処理を行なうＥＣＲ（Electronic Cash Register：電子式金銭登録機）などのデータ処理装置がある。
【０００３】
上述のデータ処理装置における商品登録情報（商品ファイル）への登録は、お店のマネージャーなどのＰＯＳ運営についての管理権限を持つ者の操作により各ＰＯＳ端末が参照するＰＬＵマスターファイルを更新することで行なわれている。
例えば、特許文献１には、ＰＬＵを記憶するＰＯＳ装置とＰＬＵマスターを記憶するホストコンピュータとが通信により接続され、当該ＰＬＵマスターファイルをＰＯＳ装置で更新する構成が開示されている。
【特許文献１】特開平６−４７７０号公報
【発明の開示】
【発明が解決しようとする課題】
【０００４】
しかしながら、上述した特許文献１に記載の構成では、管理権限を持つ者が不在の時のＮＦＰ（Not  Found  Price）メンテナンス処理（商品登録情報追加処理）により一時的に新規登録された商品がある場合、より確実に後の確認作業（本登録作業）行なうために商品外観やバーコードなどをどのように控えておくか、又、管理者への伝達などの運用考慮とその作業のために多くの手間がかかっていた。
さらに、ＮＦＰなどによる登録作業・確認作業は、商品そのものを見ながら行なう必要があるため、新規に登録する対象商品の選択作業、ＥＣＲまでの運搬作業、登録後に元の商品棚に戻す作業を行なわなければならず、煩雑であった。このため、より簡易にＮＦＰにおける登録作業・確認作業を行なうことが可能なデータ処理装置の開発が望まれていた。
【０００５】
本発明の課題は、ＰＯＳ処理におけるＮＦＰ時において、より簡易で確実な商品登録情報の追加登録を行なうデータ処理装置を提供することである。
【課題を解決するための手段】
【０００６】
上記課題を解決するために、請求項１に記載の発明は、各商品を識別する商品識別情報と当該商品識別情報に対応する商品価格とが対応づけられた登録情報を格納する記憶手段と、各商品に付された前記商品識別情報を読み取る商品識別情報読み取り手段と、前記読み取られた商品識別情報が前記登録情報に含まれているか否かを判定する判定手段と、前記判定の結果、前記読み取られた商品識別情報が前記登録情報に含まれていない場合に、前記商品識別情報が付された商品を撮像する撮像手段と、前記登録情報に前記読み取られた商品識別情報と前記撮像された商品画像とを対応づけて記録する記録手段と、を備えたことを特徴とする。
【０００７】
請求項２に記載の発明は、請求項１に記載の発明において、前記読み取られた商品識別情報に対応する単価を設定する単価設定手段を更に備え、前記記録手段は、前記登録情報に前記読み取られた商品識別情報と前記撮像された商品画像と前記単価とを対応づけて記録することを特徴とする。
【０００８】
請求項３に記載の発明は、請求項１に記載の発明において、前記撮影手段で撮影した商品画像に含まれる品名を文字認識する手段を備え、前記記録手段は、更に前記文字認識された品名を記録することを特徴とする。
【０００９】
更に、各商品に付された商品識別情報を読み取る商品識別情報読み取り手段と、商品を撮像する撮像手段とを有するコンピュータを上述した請求項１に記載の発明に示した主要な機能を実現させるためのプログラムを提供する（請求項４に記載の発明）。
【発明の効果】
【００１０】
請求項１、４に記載の発明によれば、各商品に付された商品識別情報を読み取り、その商品識別情報に関するデータが予め登録情報に登録されていない場合に、撮像した商品画像を当該商品識別情報と対応づけて記録する構成であるため、簡易で確実な商品登録情報の追加登録を行なうことが可能となる。
【００１１】
請求項２に記載の発明によれば、商品登録情報を追加登録する際に商品画像とともにその商品の単価を設定することが可能となり、より確実な商品登録情報の追加登録を行うことができる。
【００１２】
請求項３に記載の発明によれば、商品登録情報を追加登録する際に商品画像から文字認識により品名を取得して登録する構成であり、より簡易な商品登録情報の追加登録が可能となる。
【発明を実施するための最良の形態】
【００１３】
［第１の実施の形態］
以下、この発明の実施の形態について説明するが、この発明は、この実施の形態に限定されない。また、この発明の実施の形態は発明の最も好ましい形態を示すものであり、発明の用語はこれに限定されない。
【００１４】
先ず、本発明の実施の形態に係るデータ処理装置１００の構成について、図１〜図３を参照ながら説明する。図１は、本発明に係るデータ処理装置１００の構成の概略を示す概略図であり、図２は、データ処理装置１００の機能的構成を模式的に示すブロック図であり、図３は、ＰＬＵファイル１７１の構成を例示する図である。
【００１５】
図１に示すように、データ処理装置１００は、各種情報を表示する表示部１３、操作指示を受け付ける操作部１８、及び特に図示しないドロアを備えるＥＣＲ端末１と、特に図示しない読み取り光学系からの情報を表示する表示部２２及び当該読み取り光学系から商品識別情報を読み取る指示を受け付けるスキャン開始指示ボタン２４ａを備えるスキャナ２と、がパラレル／シリアル通信のケーブルである通信ケーブルＮ１を介して接続する構成であり、例えば販売店における商品の精算場所に設けられ、商取引の決済・記録、金銭の保管、商品管理に関する処理を行なう。
【００１６】
ＥＣＲ端末１は、図２に示すように、ＣＰＵ１１、ＲＡＭ１２、表示部１３、ＲＯＭ１４、印字部１５、Ｉ／Ｆ１６、記憶部１７、操作部１８、及び送受信部１９を備え、上記各部が電気的に接続された構成である。
【００１７】
ＣＰＵ１１は、ＲＡＭ１２の所定領域を作業領域としてＲＯＭ１４や記憶部１７に記憶されている各種制御プログラムやデータを元に各種処理を実行し、上記各部に制御信号を送ってＥＣＲ端末１及びスキャナ２の動作全般を統括制御する。
また、ＣＰＵ１１は、常時一定周波数を発信する水晶発振器（特に図示しない）によるクロック信号を基準に動作するとともに、当該クロック信号を計数して現在時刻を計時する。
【００１８】
ＲＡＭ１２は、例えばＳＤＲＡＭ（Synchronous  Dynamic  Random  Access  Memory）などで構成される揮発性メモリであり、ＣＰＵ１１により実行される各種制御プログラムをプログラム格納エリアに展開する。また、ＲＡＭ１２は、入力データ及び制御処理プログラムの実行時に生じる処理結果のデータを、ワークエリアに一時的に格納する。
【００１９】
表示部１３は、ＬＣＤ（Liquid Crystal Display）又はＥＬ（Electro Luminescence）ディスプレイ等であり、ＣＰＵ１１から入力される表示指示に従って各種表示データの画面表示を行う。
【００２０】
ＲＯＭ１４は、例えば電気的に消去及び書き換えが可能な不揮発メモリであるＥＥＰＲＯＭ（Electrically  Erasable  and  Programmable  ROM）やフラッシュメモリなどであり、ＣＰＵ１１が読み出して実行する各種プログラム、具体的には、後述する処理プログラムなどを格納する。
【００２１】
印字部１５は、例えばセグメント単位のサーマル素子がライン状に配列された印字ヘッド部と、セットされたロール状の領収書用紙を前記印字ヘッド部へ送る搬送部とにより構成され（いずれも図示しない）、ＣＰＵ１１から所定の時間間隔で１ライン毎に入力される売上データ及び日付時刻データに基づき、レシート用紙送り及びレシート用紙への印字を行い、印刷されたレシートを排紙する。また、レシートへの印字と同時に、当該レシートに印字した内容と同一内容をジャーナル用紙に印字する。
【００２２】
Ｉ／Ｆ１６は、通信ケーブルＮ１を介してシリアル／パラレル通信でスキャナ２と電気的に接続するためのインターフェイスである。具体的には、パラレル通信におけるバス配線を接続する構成や、Ｉ２Ｃ（登録商標）、ＵＡＲＴ（Universal  Asynchronous  Receiver  Transmitter）、ＵＳＢ（Universal  Serial  Bus）、ＳＣＬ（Serial  CLock）、ＳＤＡ（Serial  DAta）などのシリアル通信規格により通信可能に接続する構成である。
【００２３】
記憶部１７は、磁気的又は光学的に読み出し／書き換えが可能なＣＤＲＯＭ・ＤＶＤ・ＭＯなどの記録媒体やフラッシュメモリーなどの半導体メモリであり、予め設定される登録情報であるＰＬＵファイル１７１を格納する構成である。なお、上述の記録媒体・半導体メモリは、固定的又は着脱可能に装着されるものであって良い。
【００２４】
ＰＬＵファイル１７１は、図３に示すように、各商品に対してユニークに設定されたコード（数値化したもの）、品名、単価、売上個数、売上金額、商品を撮影した撮影画像、その撮影を行なった撮影日、及び管理者が当該商品のＰＬＵファイル１７１への登録を承認した承認日のフィールドを備え、一つの登録情報を一つのレコードで管理するファイルである。なお、ＰＬＵファイル１７１の項目は、さらに商品分類などを有する構成であってよく、特に上記に列挙したものに限定するものではない。
【００２５】
操作部１８は、テンキー／ファンクションキー、モードキー、担当者キー、タッチパネル等を含み（いずれも図示しない）、押下されたキーに対応する押下信号をＣＰＵ１１に出力する。
【００２６】
送受信部１９は、ＬＡＮ（Local  Area  Network）、インターネット、ＷＡＮ（Wide  Area  Network）、電話回線網、無線通信回線、ＩＳＤＮ（Integrated  Services  Digital  Network）回線網、広域通信回線網、専用線、移動体通信網、通信衛星回線、ＣＡＴＶ（Cable  Television）回線、光通信回線又はそれらを接続するインターネットサービスプロバイダを含む構成などによりデータ通信可能である通信路に接続して、互いに通信可能なサーバなどの他の外部機器との間でデータ通信を行なうインターフェイスである。
【００２７】
スキャナ２は、図２に示すように、ＣＰＵ２１、表示部２２、撮像部２３、入力部２４、デコーダ部２５、ＲＡＭ２６、Ｉ／Ｆ２７、及びＲＯＭ２８を備え、上記各部が電気的に接続された構成である。
【００２８】
ＣＰＵ２１は、前述のＣＰＵ１１からの制御指示に基づいて、ＲＡＭ２６の所定領域を作業領域としてＲＯＭ２８に記憶されている各種制御プログラムやデータを元に各種制御処理を実行し、スキャナ２の各部に制御信号を送ってスキャナ２の細部における動作を制御する。
【００２９】
表示部２２は、ＬＣＤ又はＥＬディスプレイ等であり、ＣＰＵ２１から入力される表示指示に従った表示データを画面表示する。
【００３０】
撮像部２３は、ガラスやプラスチックなどからなる光学レンズからの光をＣＣＤ（Charge  Coupled  Device）やＣＭＯＳ（Complementary  Metal  Oxide  Semiconductor）などの撮像素子上に光学像として結像し、その像を電気的な信号としてＣＰＵ２１に出力する。また、撮像部２３は、ＣＰＵ２１の指示に基づいて駆動するアクチュエータにより光学レンズ位置を調整して行なうズーム・焦点調整機能や、ＣＰＵ２１の画像処理によるデジタルズーム機能を備え、商品に貼付された商品識別情報を読み取る通常のモードと（最近接撮影用画角／焦点）、商品の外観を撮影する商品撮影モード（近影撮影用画角／焦点）とを調整可能な構成である（いずれも図示しない）。
【００３１】
また、撮像部２３は、レーザスキャナなど専ら商品に貼付され商品識別情報を読み取る構成を有し、上記通常モードにおいてはレーザスキャナによる読み取りを行ない、撮影モードにおいては撮像素子上の光学像を読み取るような、切り替えて使用する構成であっても良い。
【００３２】
なお、商品に貼付された商品識別情報とは、前述の商品毎にユニークに設定されたコード、数字、文字列などである。コードの具体的な例としては、ＪＡＮコード、ＵＰＣコード、ＣＤＤＥ３９等の一次元バーコードや、カラーバーコード、又はＱＲコード（登録商標）、ＰＤＦ４１７、Ｄａｔａ  Ｍａｔｒｉｘ、Ｍａｘｉ  Ｃｏｄｅ等の二次元コードがある。
【００３３】
入力部２４は、撮像部２３への撮影開始を指示するスキャン開始指示ボタン２４ａを含む操作ボタンにより構成され、ボタン押下時の押下信号をＣＰＵ２１に出力する。
【００３４】
デコーダ部２５は、画像認識用ＤＳＰ（Digital  Signal  Processor）などを有し、ＣＰＵ２１からの指示により、撮像部２３で撮像された画像データからコード（商品識別情報）の部分を抽出して数値化する。また、デコーダ部２５は、ＯＣＲ（Optical  Character  Reader）としての機能により、文字列又は数字の画像データを数字／文字データとして認識する構成であっても良い。
【００３５】
ＲＡＭ２６は、ＳＤＲＡＭなどで構成される揮発性メモリであり、撮像部２３で撮像された画像の一時保存領域やデコーダ部２５におけるコード解析時の作業領域を提供する。
Ｉ／Ｆ２７は、通信ケーブルＮ１を介して上述したＩ／Ｆ１６と通信可能に接続するインターフェイスである。
ＲＯＭ２８は、ＥＥＰＲＯＭやフラッシュメモリーなどであり、ＣＰＵ２１が読み出して処理する制御プログラムやデータを格納する。
【００３６】
上記構成により、スキャナ２は、特に別のコマンドが割り当てられていない通常である場合のスキャン開始指示ボタン２４ａの押下により、その押下信号を受信したタイミングで、撮像部２３で撮像した画像データに基づいて商品コード（商品識別情報）を解析して数値化する。そして、スキャナ２は、数値化した商品コード（商品識別情報）をＥＣＲ端末１に送信する。
【００３７】
なお、スキャナ２は、通信ケーブルＮ１によりＥＣＲ端末１と接続するハンディスキャナであるが、特に図示しない精算台に固設される構成であっても良い。好適な構成は、商品コードの読み取りと商品画像の撮影とを容易に行なうことが可能なハンディスキャナの構成である。
【００３８】
また、ＥＣＲ端末１とスキャナ２との接続は、有線に限定するものではなく、例えばＧＳＭ（Global System for Mobile communication）方式、ＧＰＲＳ（General Packet Radio System ；汎用パケット無線システム）方式、ＰＤＣ（Personal Digital Cellular）方式、ＣＤＭＡ（Code Division Multiple Access）方式、ＰＨＳ（Personal Handyphone System）方式、Bluetooth無線通信方式、無線ＬＡＮ（Local Area Network）等による無線通信や、ＩｒＤＡ（Infrared Data Association）、ＩｒＭＣ（Infrared Mobile Communications）等による赤外線通信であっても良い。さらに、ＥＣＲ端末１に対して複数のスキャナ２を備える構成であっても良い。
【００３９】
次に、データ処理装置１００のＣＰＵ１１が行なう処理について、図４を参照して説明する。図４は、ＣＰＵ１１が行なうＮＰＦメンテナンス処理を含む会計処理（ステップＳ１１〜Ｓ２７）を説明するフローチャートである。
【００４０】
先ず、ＣＰＵ１１は、撮像部２３から会計を行なう商品に貼付された商品コード（商品識別情報）をスキャンして（ステップＳ１１）、当該商品コードに基づいたＰＬＵファイル１７１の検索を行ない（ステップＳ１２）、該当するレコードがＰＬＵファイル１７１の「コード」のフィールドにあるか否かの判定を行なう（ステップＳ１３）。
【００４１】
ステップＳ１３において、スキャンされた商品コードに該当するレコードがある場合は、当該レコードにおける単価と、操作部１８から入力される売上個数と、に基づいた支払金額の算出が行なわれ、金銭授受などの会計手続の確認後における操作部１８の確定キー押下によりＰＬＵファイル１７１の売上個数と売上金額が加算される、単価に基づく売上合計処理が行なわれ（ステップＳ１４）、終了する。
【００４２】
ステップＳ１３において、スキャンされた商品コードに該当するレコードがない場合は、ステップＳ１５〜Ｓ２７に示すＮＰＦメンテナンス処理が行なわれた後に、単価に基づく売上合計処理が行なわれて（ステップＳ１４）、終了する。
【００４３】
以下に、ＮＰＦメンテナンス処理について詳細に説明する。ＮＰＦメンテナンス処理が開始されると、商品画像を撮像部２３から撮影するガイダンスが表示部１３に表示され（ステップＳ１５）、スキャン開始指示ボタン２４ａの押下に対してＲＡＭ２６への画像の取り込みである撮影開始を指示するコマンドが設定され（ステップＳ１６）、撮像部２３が商品の外観を撮影する商品撮影モードへ設定される（ステップＳ１７）。
【００４４】
ステップＳ１７の後、表示制御手段としてのステップＳ１８により、撮像された画像がそのまま確認用のスルー画像として表示部２２に表示され、スキャン開始指示ボタン２４ａの押下による撮影開始指示があるまで待機される（ステップＳ１９）。
【００４５】
撮影開始指示が確認されると（ステップＳ１９：Ｙ）、撮像された画像データが商品画像データとしてＲＡＭ２６に格納され（ステップＳ２０）、操作部１８から商品名の入力が受け付けられ（ステップＳ２１）、確認手段としてのステップＳ２２により、表示部１３又は表示部２２に撮像した商品画像データと入力した「商品名」が表示されて登録の確認が行なわれ、やり直しの指示が入力された場合はステップＳ１８へ戻る。
【００４６】
ステップＳ２２において登録が確認されると、撮像部２３の商品撮影モードが解除されて通常のモードに移行され（ステップＳ２３）、ステップＳ１６で設定されたスキャン開始指示ボタン２４ａのコマンドが解除されて通常の状態へ戻される（ステップＳ２４）。
【００４７】
ステップＳ２４の後、ステップＳ１１でスキャンされた商品コード、ステップＳ２２で確認された商品名と商品画像データ、及び当該商品画像データを撮像した日時がＰＬＵファイル１７１の新規レコードにおける「コード」・「品名」・「撮影画像」・「撮影日」のフィールドに格納され（ステップＳ２５）、操作部１８から商品単価の入力が受け付けられ（ステップＳ２６）、当該商品単価の確認が行なわれた後（ステップＳ２７）、ＮＰＦメンテナンス処理が終了してステップＳ１４へ移行する。
【００４８】
上記構成により、データ処理装置１００は、ＣＰＵ１１において実行される会計処理において、会計を行なう商品の商品識別情報である商品コードをスキャナ２で読み取り、数値化された当該商品コードを元にＰＬＵファイル１７１を参照して得られる単価と、操作部１８から入力される売上個数と、に基づいて支払金額の算出を行い、金銭授受の確認後の操作部１８における確定キーの押下により、ＰＬＵファイル１７１の売上個数と売上金額を加算する、単価に基づく売上合計処理を行なう。
【００４９】
また、データ処理装置１００は、スキャナ２で読み取られた商品コードがＰＬＵファイル１７１に登録されていない場合には、当該商品コードに対してスキャナ２で撮像した商品画像と操作部１８から入力された単価を設定してＰＬＵファイル１７１に登録するＮＰＦメンテナンス処理を行なう。このため、会計を行なう商品が未登録であると判明した場合に、その場で商品登録情報の追加登録を行なうことができると同時に、登録した商品登録情報の確認時に商品画像も確認することを可能とする、より確実な商品登録情報の追加登録を行なうことができる。
【００５０】
［第２の実施の形態］
次に、図５〜図７を参照して、第２の実施の形態に係るデータ処理システム１０１について説明する。図５は、データ処理システム１０１の構成の概略を示す概略図であり、図６は、データ処理システム１０１の機能的構成を模式的に示すブロック図であり、図７は、データ処理システム１０１の会計処理を説明するラダーチャートである。なお、簡略化のため、データ処理装置１００と同様の構成については、同一の符号を付して説明を省略し、データ処理装置１００と異なるサーバ３を備えた構成についてのみ説明する。
【００５１】
データ処理システム１０１は、図５に示すように、前述のデータ処理装置１００にＥＣＲ端末１と通信ケーブルＮ２により互いに通信可能に接続するサーバ３を加えた構成である。サーバ３は、統括的にＰＯＳ処理を行なうためにＰＬＵファイル１７１の元となるデータを管理し、例えば営業開始時にＥＣＲ端末１に対してＰＬＵファイル１７１を更新するためのデータの送信などを行なう。また、サーバ３は、複数のＥＣＲ端末１を管理する構成であってもよい。
【００５２】
具体的には、サーバ３は、図６に示すように、ＣＰＵ３１、ＲＡＭ３２、表示部３３、ＲＯＭ３４、印字部３５、送受信部３６、記憶部３７、及び操作部３８を備え、上記各部が電気的に接続された構成である。
【００５３】
ＣＰＵ３１は、ＲＡＭ３２の所定領域を作業領域としてＲＯＭ３４や記憶部３７に記憶されている各種制御プログラムやデータを元に各種処理を実行し、上記各部に制御信号を送ってサーバ３の動作全般を統括制御する。
【００５４】
具体的には、ＣＰＵ３１は、入力される画像データを二値化して当該画像データに含まれる文字の輪郭を抽出し、予めＲＯＭ３４に格納される文字の形状データと比較することによる文字認識を行なう。
また、ＣＰＵ３１は、操作部３８によるＰＬＵマスタファイル３７１の編集制御の他、送受信部３６から送られるデータに基づいたＰＬＵマスタファイル３７１の追加・更新を行なう。
【００５５】
ＲＡＭ３２は、ＳＤＲＡＭなどで構成される揮発性メモリであり、ＣＰＵ３１で実行される各種制御プログラムをプログラム格納エリアに展開する。また、ＲＡＭ３２は、入力データ及び制御処理プログラムの実行時に生じる処理結果のデータを、ワークエリアに一時的に格納する。
【００５６】
表示部３３は、ＬＣＤ、ＣＲＴ（Cathode-Ray  Tube）ディスプレイ等であり、ＣＰＵ３１から入力される表示指示に従って各種表示データの画面表示を行なう。
【００５７】
ＲＯＭ３４は、電気的に消去及び書き換えが可能な不揮発メモリであるＥＥＰＲＯＭやフラッシュメモリなどであり、ＣＰＵ３１が読み出して実行する各種プログラムを格納する。
【００５８】
印字部３５は、電子写真方式、インクジェット方式、熱転写方式等の画像形成方法によって、紙等の記録媒体に画像を形成して出力する装置である。
【００５９】
送受信部３６は、前述の送受信部１９と同様な構成であり、通信路である通信ケーブルＮ２を介してＥＣＲ端末１と電気的に接続するインターフェイスである。
【００６０】
記憶部３７は、磁気的又は光学的に読み出し／書き換えが可能なＣＤＲＯＭ・ＤＶＤ・ＭＯなどの記録媒体やフラッシュメモリーなどの半導体メモリであり、ＰＬＵファイル１７１の元であるＰＬＵマスタファイル３７１を格納する構成である。なお、ＰＬＵマスタファイル３７１は、ＰＬＵファイル１７１と同様なフィールド構成であり、一つの商品登録情報（登録情報）を一つのレコードで管理するファイルである。
【００６１】
操作部３８は、数字キー、文字キー、各種機能キー等から構成されるキーボードや、マウス、タッチパネル等のポインティングデバイスを含んで構成され、サーバ３への操作指示を受け付ける。
【００６２】
次に、データ処理システム１０１における会計処理であり、前述のデータ処理装置１００におけるＮＰＦメンテナンス処理を含む会計処理にサーバ３による当該ＮＰＦメンテナンス処理に対する認証処理を含む流れについて、図７に示すラダーチャートを参照して説明する。
なお、図７に示す処理においては、ＥＣＲ端末１側の処理はＣＰＵ１１が制御して行い、サーバ３側の処理はＣＰＵ３１が制御して行なう。また、サーバ３との処理で具体的に関係しない前述のデータ処理装置１００における各処理の細部は省略して示す。
【００６３】
先ず、ＥＣＲ端末１は、ＮＦＰメンテナンス処理におけるステップＳ２１で、操作部１８からの商品名の入力の代わりに商品に貼付されている商品名が記載されたラベルなどを撮像した商品画像データをサーバ３に出力する。サーバ３は、受信した商品画像データに基づいて文字認識を行ない、認識された文字列を品名情報としてＥＣＲ端末１に送信する（ステップＳ３１）。この品名情報を受信したＥＣＲ端末１は、図7のステップＳ２２で表示され、ステップＳ２５で前記受信した品名情報をＰＬＵファイル１７１の品名として品名情報を設定する。
【００６４】
上記ステップＳ３１の処理により、データ処理システム１０１においては、ＥＣＲ端末１で品名を入力する手間を省くことができるとともに、正確に品名がＰＬＵファイル１７１に登録されているか否かをチェックすることが可能となる。
【００６５】
ＥＣＲ端末１は、ＮＰＦメンテナンス処理（ステップＳ１５〜Ｓ２７）が終了した後、上記処理によりＰＬＵファイル１７１に追加した新規レコードデータをサーバ３に送信する。サーバ３は、送られてきた新規レコードデータに基づいたＰＬＵマスタファイル３７１の更新認証処理として、当該新規レコードデータを表示部３３に表示し、管理者による更新するか否かの選択入力を操作部３８から受け付け（ステップＳ３２）、更新された後にＰＬＵマスタファイル３７１の更新を示す情報、つまりＰＬＵファイル１７１への本登録を示す認証情報をＥＣＲ端末１に対して送信する。
【００６６】
なお、ステップＳ３２における処理は、操作部３８による操作指示以外に、受信した新規レコードデータの商品名と単価、及びＲＯＭ３４又は記憶部３７に格納された商品名と商品のカテゴリと当該カテゴリにおける価格帯とによるルックアップテーブルである適正価格情報に基づき、送られてきた新規レコードデータにおける商品の単価が適正な価格帯に含まれるか否かを判定する構成であっても良い。
【００６７】
ＥＣＲ端末１では、認証情報の受信に応じて新規登録したＰＬＵファイル１７１のレコードの認証日に現在日時を入力して本登録を行ない、当該本登録された商品登録情報を元に単価に基づく売上合計処理を行なう（ステップＳ１４）。
【００６８】
上記構成により、データ処理システム１０１は、ＮＰＦメンテナンス処理時にスキャナ２で撮像した商品画像から品名を入力することできるため、より簡易な商品登録を行なうことができる。また、データ処理システム１０１は、ＥＣＲ端末１で新規に追加される商品登録情報に対してサーバ３側で承認を行なう構成であるため、より確実に商品登録を行なうことができるとともに、ＰＬＵマスタファイル３７１により登録する商品登録情報を一元管理することができる。このため、例えば新たにＥＣＲ端末１を追加する場合においても、ＰＬＵマスタファイル３７１を元に設定することで、新規に追加するＥＣＲ端末１に対して最新の商品登録情報を登録することができる。なお、サーバ３で商品画像データに基づく文字認識を行うようにしたが、ＥＣＲ端末１側で文字認識を行い、その文字列を品名情報としてＰＬＵファイル１７１に設定するようにしてもよい。
【００６９】
なお、本実施の形態における記述は、本発明の一例を示すものであり、これに限定しない。本実施の形態におけるデータ処理装置１００、データ処理システム１０１の細部構成及び細部動作に関しては、本発明の趣旨を逸脱しない範囲で適宜変更が可能である。
【００７０】
例えば、本実施の形態におけるスルー画像の表示は、表示部２２の表示画面に表示する構成としたが、表示部１３であっても良く、特に限定しない。
また、入力されたデータに基づいて音声データの合成を行なう音声合成装置と入力される音声データから音声を再生するスピーカとによる音声再生手段をさらに有し、確認手段は、記録されるデータを音声再生手段による音声で行なう構成であっても良い。
【図面の簡単な説明】
【００７１】
【図１】第１の実施の形態における本発明に係るデータ処理装置１００の構成の概略を示す概略図である。
【図２】データ処理装置１００の機能的構成を模式的に示す図である。
【図３】ＰＬＵファイル１７１の構成を例示する図である。
【図４】データ処理装置１００が行なう会計処理を説明するフローチャートである。
【図５】第２の実施の形態におけるデータ処理システム１０１の構成の概略を示す概略図である。
【図６】データ処理システム１０１の機能的構成を模式的に示す図である。
【図７】データ処理システム１０１が行なう会計処理を説明するラダーチャートである。
【符号の説明】
【００７２】
１００  データ処理装置
１０１  データ処理システム
Ｎ１、Ｎ２  通信ケーブル
１  ＥＣＲ端末
１１  ＣＰＵ（判定手段）
１２  ＲＡＭ
１３  表示部
１４  ＲＯＭ
１５  印字部
１６  Ｉ／Ｆ
１７  記憶部（記憶手段、記録手段）
１７１  ＰＬＵファイル
１８  操作部（単価設定手段）
１９  送受信部
２  スキャナ（商品識別情報読み取り手段、撮像手段）
２１  ＣＰＵ
２２  表示部（表示手段）
２３  撮像部
２４  入力部
２４ａ  スキャン開始指示ボタン
２５  デコーダ部
２６  ＲＡＭ
２７  Ｉ／Ｆ
２８  ＲＯＭ
３  サーバ
３１  ＣＰＵ
３２  ＲＡＭ
３３  表示部
３４  ＲＯＭ
３５  印字部
３６  送受信部
３７  記憶部
３７１  ＰＬＵマスタファイル
３８  操作部
【図１】
2006277198.tif 000003
【図２】
2006277198.tif 000004
【図３】
2006277198.tif 000005
【図４】
2006277198.tif 000006
【図５】
2006277198.tif 000007
【図６】
2006277198.tif 000008
【図７】
2006277198.tif 000009